(57)【要約】【課題】  光ディスク用のトレー体を装置本体の開口部に挿通させて収納と突出の位置を取らせる構成のディスクの記録・再生装置において、装置本体内からのノイズの漏れや装置本体内への塵埃の侵入を防ぐようにトレー体の前部に配設の蓋体に前記開口部を間隙が生じないように閉塞させ、スライド中のトレー体に前記蓋体がガタ付きを生じさせず、長い使用に耐えて材料疲労を生じさせず、前記蓋体と前記トレー体の連結のために大きなスペースを必要としないことを目的とする。【解決手段】  蓋体５を弦巻バネ１５によってトレー体４の方向に付勢させてベース板６を介してトレー体４に連結し、蓋体５がトレー体４に対して所定の位置を取るためのガイドの通孔２５と突出部材１９を、蓋体５が所定の位置で開口部２を閉塞するためのガイドの右ガイド片３６と右内側壁３５を備えて構成した。【選択図】  図５
2009004051.tif 000002
【特許請求の範囲】
【請求項１】
開口部が開設されている装置本体と、再生又は／及び記録の対象である光ディスクを載置し、前記開口部に挿通され、スライドされることによって前記装置本体に対して突出の位置と収納の位置を取り得るトレー体と、そのトレー体の前部に配設され、前記開口部を閉塞するための蓋体を備えて構成され、
前記蓋体の側と前記トレー体の側の間において、前記蓋体が付勢力によって前記トレー体の側に付勢され、且つ、前記蓋体に、前記トレー体に対して所定の位置を取らせるための第一のガイド部が、前記トレー体の側と前記蓋体の側のいずれか一方に、他方に、前記第一のガイド部によってガイドされる第一の被ガイド部がそれぞれ備えられ、更に、前記トレー体が装置本体に収納される際に、前記蓋体に、前記開口部に対して所定の位置で閉塞させるための第二のガイド部が前記蓋体の側と前記装置本体の側のいずれか一方に、他方に前記第二のガイド部によってガイドされる第二の被ガイド部がそれぞれ備えられてなちイドする手段が介在されてなることを特徴とする光ディスクの再生・記録装置。
【請求項２】
前記第一のガイド部が、前記トレー体の側と前記蓋体の側のいずれか一方に設けられた通孔であって、且つ、前記第一の被ガイド部が、他方に配設され、他方の方向に付勢されて前記通孔に挿通され、先端に対して後部の断面積が小さくなるほぼ錐形状若しくはほぼ載頭錐形状の突出部材である請求項１に記載の光ディスクの再生・記録装置。
【発明の詳細な説明】
【技術分野】
【０００１】
この発明は、例えばＣＤプレーヤやＤＶＤ記録・再生装置のように、装置本体に開口部が開設され且つその開口部に記録媒体を載置するトレー体が挿通されて、そのトレー体が前記装置本体に対して突出と収納の位置を取り、更に、トレー体の前部に蓋体が配設されて、その蓋体によって前記開口部を閉塞し得る構成の光ディスクの再生・記録装置に関する。
特に、前記トレー体が前記装置本体に収納の位置を取った際に、前記蓋体が前記開口部を所定の位置で閉塞することによって、光ディスクが回転駆動される際に発する騒音等が装置の外部に漏れることを抑え、又、装置本体に塵埃が入り込むことを防ぐことの改良に関する。
【背景技術】
【０００２】
光ディスクの再生・記録装置において、装置内部で生じる騒音を装置の外部に漏れることを抑えたり装置内部に塵埃が入り込むことを抑えるために、トレー体が装置本体に収納の位置を取った際に、蓋体が開口部の間に間隙が生じないように閉塞する構成の発明として、以下の文献が知られている。
【０００３】
【特許文献１】特開２０００−２３１７７９号公報
【発明の開示】
【発明が解決しようとする課題】
【０００４】
特許文献１で開示されている光ディスク装置は、要部の構成部品の製作精度及び組み立て精度のバラツキによって生じる装置本体（筐体）に収納時のディスクトレイとディスクトレイを筐体内に挿通させるための開口部の近傍部分の間に生じる間隙をより一層小さく抑えることにより、装置内部からの騒音がユーザー側に聞こえて来ることの防止と筐体内部への防塵性を目的としている。
そして、その目的を達成するために、ディスクトレイの前部に弾性部を介してトレイパネル（蓋体）を配設する構成の光ディスク装置が提案されている。
【０００５】
斯かる構成の特許文献１で開示の光ディスク装置は、前記ディスクトレイを前記装置本体に収納した際、前記トレイパネルが弾性的に前記開口部の周縁に当接して前記開口部を閉塞するので、構成部品の製作精度及び組み立て精度のバラツキが多少あっても前記開口部と前記トレイパネルの間に間隙が生じ難く、結果的に、装置内部からの騒音の防止と筐体内への防塵が図られることになる。
しかし、特許文献１で開示の光ディスク装置は、前記トレイパネルが前記弾性部のみで前記ディスクトレイに付設され、しかも、前記トレイパネルは前記ディスクトレイが前記筐体に対して突出の位置を取っている際には前記弾性部のみで保持される構成なので、前記トレイパネルが初期の姿勢のままで継続して前記ディスクトレイに付設するということは難しく、使用と共に前記弾性部に押圧力が加わって材料疲労が生じ、前記ディスクトレイに対して前記トレイパネルは初期の姿勢を保持できなくなって、結果的に、前記トレイパネルが所定通りに前記開口部を閉塞する状態が得られなくなり、よって、前記装置内部からの防音性と筐体内部への防塵性の機能が低下して行くという問題があった。
【０００６】
殊に、特許文献１で開示の光ディスク装置は、前記弾性部がＵ字若しくはＶ字形状であって、一端が前記ディスクトレイに取り付けられ、他端が前記トレイパネルを持ち上げ支持の状態で保持していることから、前記弾性部は前記トレイパネルの保持、前記開口部と前記トレイパネルとの当接時の緩衝、及び、前記開口部と前記トレイパネルとの間隙を埋めるための変形を担うため、材料疲労は極めて大きいという問題があった。
尚、特許文献１で開示の光ディスク装置における前記弾性部の材料疲労の問題を解決する方法として、厚さを十分にして前記弾性部を形成する方法が考えられる。しかし、前記弾性部の厚さを十分にすると、前記ディスクトレイが筐体内部に収納されるには、厚さの大きい弾性部を収納するためのスペースを前記開口部近傍に確保する必要が生じ、更にはデザイン上で大きな制約を受けるという新たな問題が生じることになる。
【０００７】
そこで、特許文献１で開示の光ディスク装置と同様に、トレー体が装置本体に収納の位置を取った際に、材料疲労が生じ難くよって付勢力の機能の低下が生じ難いバネによって前記トレー体にトレイパネルが弾性保持する構成が考えられる。
しかし、付勢力に係る問題が解決しても、特許文献１で示された弾性部のようにトレー体とトレイパネルを連続面で連結しなければ、トレー体がスライドを開始する時、スライドを停止する時などにおいて、トレイパネルはトレー体に対してガタツキを生じさせ、ユーザーにとって見栄えが悪かったりガタツキ音を発するという問題が生じる。
【０００８】
この発明は、上記の事情に鑑みてなされたものであり、トレー体を装置本体に対して収納の位置を取らせた際に、開口部との間に間隙が生じないように前記トレー体の前部に配設の蓋体（トレイパネル）が前記開口部を閉塞し、よって、前記装置内部から騒音がユーザー側に漏れ出すこと及び前記装置本体内部に塵埃が入り込むことを防止し、且つ、要部を構成する部材に材料疲労が生じ難いことによって使用回数が進んでも、前記トレー体を装置本体に収納した際には前記蓋体は前記開口部に対して所定の位置で閉塞し、更に、前記トレー体と蓋体を連結するための部材が大きなスペースを必要としないことから、デザイン上の制約を受け難く、加えて、前記トレー体が前記装置本体に対してスライドを開始する際、スライドしている際、スライドを停止する際において、前記蓋体が前記トレー体に対して振動を起こしてガタツキやガタツキ音を生じさせたることのないディスクの記録・再生装置を提供するものである。
【課題を解決するための手段】
【０００９】
この発明は、装置本体にトレー体が挿通するための開口部を開設し、その開口部を閉塞し得る蓋体を前記トレー体の前部の側に連結させ、前記蓋体と前記トレー体の間に、前記蓋体が前記トレー体に対して所定の位置を取るようにガイドする手段を、前記蓋体と前記装置本体の間に、前記トレー体が前記装置本体に対して収納の位置を取る際に前記蓋体が所定の位置で前記開口部を閉塞するようにガイドする手段を、それぞれ介在させて構成した光ディスクの再生・記録装置である。
その詳細な構成は、開口部が開設されている装置本体と、再生又は／及び記録の対象である光ディスクを載置し、前記開口部に挿通され、スライドされることによって前記装置本体に対して突出の位置と収納の位置を取り得るトレー体と、そのトレー体の前部に配設され、前記開口部を閉塞するための蓋体を備えて構成され、
前記蓋体の側と前記トレー体の側の間において、前記蓋体が付勢力によって前記トレー体の側に付勢され、且つ、前記蓋体に、前記トレー体に対して所定の位置を取らせるための第一のガイド部が、前記トレー体の側と前記蓋体の側のいずれか一方に、他方に、前記第一のガイド部によってガイドされる第一の被ガイド部がそれぞれ備えられ、更に、前記トレー体が装置本体に収納される際に、前記蓋体に、前記開口部に対して所定の位置で閉塞させるための第二のガイド部が前記蓋体の側と前記装置本体の側のいずれか一方に、他方に前記第二のガイド部によってガイドされる第二の被ガイド部がそれぞれ備えられてなちイドする手段が介在されてなることを特徴とする光ディスクの再生・記録装置である。
【００１０】
ここで、前記第一のガイド部は具体的に、前記トレー体の側と前記蓋体の側のいずれか一方に設けられた通孔が挙げられ、且つ、前記第一の被ガイド部は具体的に、他方に配設され、他方の方向に付勢されて前記通孔に挿通され、先端に対して後部の断面積が小さくなるほぼ錐形状若しくはほぼ載頭錐形状の突出部材である場合が挙げられる。
更に具体的には、前記通孔は形状が円形であって、且つ、突出部材の前部形状が載頭円錐形である部材が挙げられる。
尚、突出部材の前部形状がほぼ錐形状であるかほぼ載頭錐形状であるかは、前記通孔に対して挿通してスライドする距離、そのスライドを他の部材が許容する範囲、錐形状の傾斜角等によって決定される。
【００１１】
又、第二のガイド部は具体的に、前記開口部の近傍に配設され、前記トレー体の突出方向に対して開口部内側方向にテーパーが切られた凸形状のガイド片が挙げられ、第二の被ガイド部は具体的に前記蓋体の内側壁が挙げられる。
第二のガイド部及び第二の被ガイド部は、開口部に対して互いに対向する二組以上の組み合わせを配設することによって、前記蓋体は前記開口部に対し所定の位置で閉塞を行うことになる。
【００１２】
加えて、前記蓋体の前記トレー体の連結は、前記トレー体にベース板が掛け止めによって前記トレー体に一体化され、そのベース体に対して蓋体が弦巻バネによって前記トレー体方向に付勢されて連結される構成が挙げられる。
斯かる構成によって、前記弦巻バネによって、蓋体は常に可及的に前記トレー体に近接するように保持され、且つ、前記第一のガイド部と前記第一の被ガイド部の共働によって、前記蓋体は前記トレー体の側に対して可及的に所定の位置を取ることが保持される。
【００１３】
同様に、前記トレー体が前記装置本体に収納される際に、前記蓋体は、前記弦巻バネの付勢力によって収納途上の前記トレー体の方向つまり前記装置本体の側に付勢されているが、その付勢の力によって前記第二のガイド部が前記第二の被ガイド部をガイドすることを促進させる。
尚、前記トレー体が前記装置本体に収納されて前記第二のガイド部が前記第二の被ガイド部をガイドする際は、前記通孔による前記突出部材のガイドは解除させる構成になっている。それは、前記トレー体が前記装置本体に収納される直前では、前記蓋体は前記トレー体の側ではなく前記開口部に対して所定の位置を取って前記開口部を閉塞することが重要だからである。
【発明の効果】
【００１４】
この発明は、装置本体に開設した開口部を閉塞し得る蓋体をトレー体の前部の側に連結させ、前記蓋体と前記トレー体の間に、前記蓋体が前記トレー体に対して所定の位置を取るようにガイドする手段を、前記蓋体と前記装置本体の間に、前記トレー体が前記装置本体に対して収納の位置を取る際に前記蓋体が所定の位置で前記開口部を閉塞するようにガイドする手段を、それぞれ介在させた構成であることにより、前記蓋体は、前記トレー体がスライドしている際は前記トレー体に対して所定の位置に保持され、前記トレー体が前記装置本体に収納される際は前記開口部に対して所定の位置を取るので、前記トレー体がスライドしている際は前記蓋体がガタツキを生じさせるということがなく、前記蓋体が前記開口部を閉塞している際は前記開口部に対して所定の位置で閉塞するので、前記装置本体の内部で機能によって生じるノイズがユーザーの側に漏れることは防がれていると共に塵埃等が前記装置本体の内部に入り込むことも防がれており、又、前記蓋体に付勢力によって所定の位置を取らせているので構成部材を高い精度で作製する必要はなく、更に、前記蓋体に所定の位置を取らせるため前記に装置本体に特別な空間を設けるという必要がなく、加えて、前記蓋体に所定の位置を取ることによって部材が強くストレスを受けるということはないので材料疲労が生じ難く、よって、前記蓋体の所定の位置取りが比較的長い時間保持され得る光ディスクの再生・記録装置である。
【発明を実施するための最良の形態】
【００１５】
この発明を、以下において、図面と共に発明を実施するための最良の形態に基づき詳述する。しかし、この実施の形態によって、この発明が限定されるものではない。
光ディスクの再生・記録装置１は、図に示すように、装置本体であって開口部２を有するケーシング３と、トレー体４が備えられている。
加えて、光ディスクの再生・記録装置１は、開口部２に挿通させたトレー体４を、ケーシング３に対して突出の方向である矢印Ａ方向と収納の方向である矢印Ｂ方向にスライドさせるスライド手段（図示省略）が備えられている。
【００１６】
つまり、トレー体４は、ケーシング３に対して突出の位置と収納の位置を取ることが可能であり、突出の位置を取ることによって光ディスクの載置と取り出しを、収納の位置を取ることによって光ディスクのデータの再生とデータの記録が可能になっている。
尚、光ディスクの再生・記録装置１は、トレー体４に載置された光ディスクからのデータの再生及び光ディスクにデータの記録を行う再生・記録手段（図示省略）が備えられている。
【００１７】
光ディスクの再生・記録装置１には、トレー体４がケーシング３の内部に収納された際に開口部２を閉塞して、ケーシング３の内部からの機能による雑音がケーシング３の外部側つまりユーザーの側に聞こえないようにさせ、且つ、塵埃等がケーシング３の内部に入り込むことを防ぐための蓋体５が、ベース板６を介してトレー体４の前部に保持されている。
蓋体５は、より具体的に、トレー体４のスライド方向（矢印Ａ及びＢ方向）にスライド可能であって、トレー体４と一体化する方向に付勢されてトレー体４に保持されている。
【００１８】
つまり、ベース板６の右側には、トレー体４のスライド方向に伸びる二つの通孔７，８が、ベース板６の左側で通孔８とほぼ対称の位置には、トレー体４のスライド方向に伸びる通孔９が、それぞれ開設され、且つ、蓋体５の背面の右側に、通孔７，８に挿通するボス１０と段付きボス１１が、蓋体５の背面の左側であってボス１１とほぼ対称の位置に、通孔９に挿通する段付きボス１２がそれぞれ設けられている。
そして、段付きボス１１には軸線を共通してメネジ部１３が形成されており、通孔８に段付きボス１１が段差まで挿通され、弦巻バネ１５が押し縮められた状態で段付きボス１１に嵌合され、更に、弦巻バネ１５の筒状の径よりも頭部の大きいビス１６がメネジ部１３に螺合されている。
【００１９】
他方、段付きボス１２には軸線を共通してメネジ部１４が形成されており、通孔９に段付きボス１１が段差まで挿通され、弦巻バネ１７が押し縮められた状態で段付きボス１２に嵌合され、更に、弦巻バネ１７の筒状の径よりも頭部の大きいビス１８がメネジ部１４に螺合されている。
又、ベース板６には爪片２７，２８が備えられ、且つ、トレー体４の前部には被掛止部２９，３０がそれぞれ形成され、爪片２７，２８がそれぞれ被掛止部２９，３０に掛け止めすることでベース板６はトレー体４に保持される構成になっている。
【００２０】
従って、ビス１６は弦巻バネ１５によって、ビス１８は弦巻バネ１７によって、それぞれトレー体４に対して後方（矢印Ｂ方向）に付勢されており、且つ、ビス１６はメネジ部１３に、ビス１８はメネジ部１４にそれぞれ螺合され、ベース板６が蓋体５と一体となっていて且つベース板６がトレイ体４に掛け止めされているので、蓋体５はトレー体４の方向に付勢されてトレー体４に保持されていることになる。
尚、蓋体５に設けたボス１０をベース板６に開設した通孔７に挿通させることにより、組み立て時にベース板６に対して蓋体５を位置決めすることを容易にさせており、又、ベース板６を蓋体５に一体化する際に蓋体５がベース板６に対して左右に大きく位置ズレすることを防ぐように機能している。
【００２１】
更に、光ディスクの再生・記録装置１にはトレー体４が矢印Ａ及びＢ方向にスライドしている際に、蓋体５がトレー体４に対して所定の位置を保持し蓋体５がトレー体４の前記スライド方向に対して垂直の方向に移動してガタを生じさせることのない手段が備えられている。
つまり、具体的には、被ガイド部であって、先端に対して断面積が小さくなるほぼ載頭円錐形状の突出部材１９，２０が、それぞれ蓋体５の背部の左右端部であって、弦巻バネ２１，２２によって後方（矢印Ｂ方向）に突出するように付勢されて配設されている。
【００２２】
２３，２４はそれぞれ突出部材１９，２０を、矢印Ａ及びＢ方向、つまり、トレー体４のスライド方向にスライド可能に収納保持するホルダー凹部である。
他方、トレー体４の側であるベース板６には、突出部材１９，２０をそれぞれ挿通されることによって、蓋体５がトレー体４に対して、トレー体４のスライド方向とほぼ直行する方向の移動を規制することでガイドを行うガイド部である挿通孔２５，２６が開設されている。
【００２３】
従って、蓋体５とトレー体４は、その両部材に介在されている突出部材１９，２０がそれぞれ挿通孔２５，２６に挿通され、更に、弦巻バネ２１，２２によって矢印Ｂ方向に突出されているので、突出部材１９，２０を保持する側の蓋体５と挿通孔２５，２６の側であるトレー体４が互いに矢印Ｂ方向と垂直方向の位置を規制し合うことになるので、蓋体５はトレー体４に対して所定の位置を保ち続けることになる。
尚、トレー体４がケーシング３に収納の位置を取った際、つまり、蓋体５がケーシング３の開口部２を閉塞した際には、突出部材１９，２０の先端面は、ケーシング３の開口部２の内側に開口部２に沿って、且つ、ケーシング３の内側に段状に凹んで形成された段差部３１に当接して、ホルダー凹部２３，２４の内部に後退して収納される。
【００２４】
つまり、挿通孔２５，２６が突出部材１９，２０をガイドすることを解除されることになる。
さて、ケーシング３のフロント面３２には、光ディスクの再生・記録装置１の機能を操作するための操作用スイッチ３３及び現行の機能状態を表示する表示部３４が配設されている。
【００２５】
光ディスクの再生・記録装置１は、更に、ケーシング３の開口部２の内側に段差部３１が形成されている。段差部３１には、前方（矢印Ａ方向）に突出した形状であって、トレー体４がケーシング３に対してスライドされて収納の位置を取る際に、蓋体５の右内側壁３５と係合して蓋体５が開口２に対して所定の閉塞の位置を取るようにガイドする右ガイド片３６が配設されている。
ここで、右ガイド片３６はガイド部であり、右内側壁３５は被ガイド部である。
【００２６】
尚、ここで言う蓋体５の右内側壁３５と右ガイド片３６の係合とは、蓋体５の右内側壁３６が矢印Ｂ方向と同じ方向に拡がった平面であって且つ右ガイド片３６は蓋体５の右内側壁３５の先端部を導くように矢印Ｂ方向に対して角度が切られており、蓋体５の右内側壁３５の先端部が右ガイド片３６の対応する面に当接しながらガイドされることを意味する。
段差部３１の左側には、右ガイド片３６と同様に、蓋体５の左内側壁３７と係合して蓋体５が開口２に対して所定の閉塞の位置を取るようにガイドする左ガイド片（図示省略）が配設されている。
【００２７】
ここで、前記左ガイド片はガイド部であり、左内側壁３７は被ガイド部である。
つまり、上述したように、蓋体５とケーシング３の位置関係において、蓋体５が開口部２を閉塞する際には、右ガイド片３６が右内側壁３５を、前記左ガイド片が左内側壁３７をそれぞれガイドし、蓋体５が開口部２を閉塞する位置を脱した際には、挿通孔２５，２６がそれぞれ突出部材１９，２０をガイドする構成になっている。
【００２８】
光ディスクの再生・記録装置１は、上述したように構成されている。以下において、光ディスクの再生・記録装置１の要部の機能について説明する。
ユーザーは、操作スイッチ３３を操作してメイン電源をＯＮにし、続いて、上記スライド手段を出力させ、ケーシング３に収納状態のトレイ体４をスライドさせて突出の位置にさせる。
【００２９】
ここで、ユーザーは、再生を所望するＤＶＤ記録媒体（図示省略）をトレイ体４に載置する。
この時、ベース板６は、爪片２７，２８がそれぞれトレー体４の前部の被掛止部２９，３０に掛止していることにより、トレー体４に一体化されている。
【００３０】
又、蓋体５は、ビス１６，１８がそれぞれベース板６に開設した通孔８，９を挿通し、且つ、蓋体５に設けたメネジ部１３，１４に螺合していることにより、ベース板６に一体化されている。
従って、蓋体５は、ベース板６を介してトレー体４に連結されている。そして、この連結部において、弦巻バネ１５，１７がそれぞれ、ベース板６とビス１６，１８を離隔するように付勢していることにより、蓋体５はトレイ体４に対して弾性的に矢印Ａ及びＢ方向にスライド可能に保持し、且つ、トレー体４が蓋体５を可及的に引き込むように近接する位置を取らせている。
【００３１】
他方、突出部材１９，２０はそれぞれ、弦巻バネ２１，２２から付勢力を受けて、結果的に、トレー体４と一体であるベース板６に開設された通孔２５，２６を挿通して矢印Ｂ方向に突出されている。
従って、蓋体５の側に保持されている突出部材１９，２０とトレー体４の側である通孔２５，２６が係合していることにより、蓋体５がトレー体４に対し、矢印Ａ及びＢ方向に垂直の方向については位置が規制されている。
【００３２】
殊に、突出部材１９，２０はそれぞれ通孔２５，２６に挿通する部位が載頭円錐形状であって、且つ、弦巻バネ２１，２２から付勢力を受けていることから、蓋体５のトレー体４に対する前記位置の規制は可及的になっている。
次に、ユーザーが操作スイッチ３３を操作して前記スライド手段を出力させ、トレー体４を矢印Ｂ方向にスライドさせて行くと、トレー体４は最終的にケーシング３に対して収納の位置を取ることになる。
【００３３】
トレー体４が矢印Ｂ方向にスライドして行ってケーシング３に対して収納の位置を取る直前において、蓋体５の右内側壁３５は右ガイド片３６に係合してガイドされ且つ蓋体５の左内側壁３７は上記左ガイド片に係合してガイドされ、結果的に、蓋体５は右ガイド片３６及び上記左ガイド片が配設されているケーシング３つまり開口部２に対して所定の位置を取るようにガイドされる。
他方、トレー体４がケーシング３に収納の位置を取る直前において、突出部材１９，２０は先端がケーシング３の段差部３１に当接するが、突出部材１９，２０はそれぞれ弦巻バネ２１，２２によって付勢されて突出しており、突出部材１９，２０は相対的に段差部３１に押圧されてそれぞれホルダー凹部２３，２４の内部に後退して収納される。
【００３４】
つまり、光ディスクの再生・記録装置１は、トレー体４がスライドされてケーシング３に収納されている位置から突出する位置を取り、更に、トレー体４がスライドされてケーシング３に収納される直前まで、突出部材１９，２０はそれぞれトレー体４と一体となっているベース板６の通孔２５，２６に挿通され、蓋体５はトレー体４に対してそのスライド方向と垂直の方向の動きが規制されており、更に、蓋体５はベース板６を介してトレー体４の方向に付勢されてトレー体４に連結されているので、蓋体５はトレー体４に対して所定の位置を保持することになり、スライドの際にトレー体４に対してガタつきが発生するという事態は生じない。
【００３５】
他方、光ディスクの再生・記録装置１は、トレー体４がケーシング３に収納される際、蓋体５は、その右内側壁３５が右ガイド片３６に、蓋体５の左内側壁３７が上記左ガイド片にそれぞれ係合しガイドされ、ケーシング３に対しての所定の位置つまり開口部２に対しての所定の位置を取ることになり、開口部２は蓋体５によって所定の位置で閉塞されることとなって間隙が生じないことにより、ケーシング３の内部で上記再生・記録手段が出力の際に雑音を発する場合であってもその雑音はユーザーには聞こえ難くなっている。
同じく、蓋体５が開口部２を所定の位置で閉塞して間隙を生じないことにより、塵埃がケーシング３の内部に入り込み、ケーシング３の内部に配設されている手段や記録媒体に悪い影響を与えるという事態は生じない。
【００３６】
又、光ディスクの再生・記録装置１は、上述したように、トレー体４がケーシング３に対していずれの位置においても、蓋体５をトレー体４に対して所定の位置を保持させる手段は、弦巻バネ１５，１７及び弦巻バネ２１，２２の付勢力によって可及的に所定の位置を保持するように機能するから、前記所定の位置の保持は各構成部材の精度に大きく依存することはない。つまり、各構成部材を極めて高い精度で製作する必要がない。
更に、光ディスクの再生・記録装置１は、蓋体５とトレー体４の連結が、蓋体５のメネジ部１３，１４にそれぞれ螺合するビス１６，１８、ビス１６，１８に弾性的に取り付けられているベース板６、及び、ベース板６のトレー体４への係止が掛け止めであり、又、蓋体５に所定の位置を可及的に取らせるための部材が弦巻バネ１５，１７及び弦巻バネ２１，２２であることにより、機能中に各構成部材に強いストレスが加わることがなく、よって、使用回数が多くなっても各構成部材に材料疲労が生じて破損して使用が不可能になるといった事態は極めて生じ難い。
【００３７】
尚、光ディスクの再生・記録装置１は、上述したように、蓋体５とトレー体４を連結するために、殊に、上記材料疲労に耐えられるように構成部材を大型化し、結果的にその大型化した部材を収納するための大きなスペースを設けなければならないという必要は生じない。
光ディスクの再生・記録装置１では、ガイド部である通孔２５，２６はベース板６つまりトレー体４の側に、被ガイド部である突出部材１９，２０は蓋体５の側にそれぞれ配設されているが、配設されている部材の位置関係が逆であってもよい。
【００３８】
光ディスクの再生・記録装置１では、ガイド部である右ガイド片３６，上記左ガイド片はケーシング３の側に、被ガイド部で右内側壁３５，左内側壁３７は蓋体５の側にそれぞれ配設されているが、配設されている部材の位置関係が逆であってもよい。  
【図面の簡単な説明】
【００３９】
【図１】この発明を実施するための最良の形態の全体構成を説明する斜視図である。
【図２】図１に示す実施するための最良の形態において、要部の構成を説明する前方からの分解斜視図である。
【図３】図１に示す実施するための最良の形態において、要部の構成を説明する後方からの分解斜視図である。
【図４】図１におけるＣ−Ｃ断面図であって、トレー体が装置本体から突出した状態の要部の構成を説明する構成説明である。
【図５】図１におけるＣ−Ｃ断面図であって、トレー体が装置本体に収納された状態の要部の構成を説明する構成説明である。
【符号の説明】
【００４０】
１：            光ディスクの再生・記録装置
２：            開口部
３：            ケーシング（装置本体）
４：            トレー体
５：            蓋体
６：            ベース板
１５，１７：    弦巻バネ
１９，２０：    突出部材（被ガイド部）
２１，２２：    弦巻バネ
２５，２６：    通孔（ガイド部）
３５：          右内側壁（被ガイド部）
３６：          右ガイド片（ガイド部）
３７：          左内側壁（被ガイド部）            
【図１】
2009004051.tif 000003
【図２】
2009004051.tif 000004
【図３】
2009004051.tif 000005
【図４】
2009004051.tif 000006
【図５】
2009004051.tif 000007